(57)【要約】      （修正有）【課題】底部を含む全体の分厚さが軽減される薬袋及びその結束体を提供する。【解決手段】薬袋１は、薬剤を内部に収容可能なものであって、シート材２を折り畳んで貼り合わせて構成され、シート材２は、坪量４０〜６０ｇ/ｍ２の晒包装紙であるものであり、この薬袋１が、複数枚ごとに結束されて結束体が構成されている。これにより、従来の上質紙と同様の印刷のしやすさを確保した上で、薬袋が強度不足とならない範囲で、紙厚みを従来の上質紙（坪量６４ｇ/ｍ２）よりも薄くすることができる。【選択図】図１
2016140516.tif 000002
【特許請求の範囲】
【請求項１】
薬剤を内部に収容可能な薬袋であって、
シート材を折り畳んで貼り合わせて構成され、
前記シート材は、坪量４０〜６０ｇ/ｍ２の晒包装紙であることを特徴とする薬袋。
【請求項２】
角底部と、この角底部に連なる角筒胴部とを有することを特徴とする請求項１記載の薬袋。
【請求項３】
内部に収容される薬剤に関する処方箋情報が印刷されることを特徴とする請求項１又は２記載の薬袋。
【請求項４】
前記シート材は、坪量４５〜５５ｇ/ｍ２であることを特徴とする請求項１〜３のいずれか１項に記載の薬袋。
【請求項５】
前記シート材は、坪量５０ｇ/ｍ２であることを特徴とする請求項４記載の薬袋。
【請求項６】
前記シート材は、晒クラフト紙であることを特徴とする請求項１〜５のいずれか１項に記載の薬袋。
【請求項７】
請求項１〜６のいずれか１項に記載の薬袋が複数枚ごとに結束されて構成されることを特徴とする薬袋の結束体。
【請求項８】
前記複数枚ごとに結束された薬袋が１枚ずつに分離された状態で、それぞれの内部に収容される薬剤に関する処方箋情報が各薬袋に印刷されることを特徴とする請求項７記載の薬袋の結束体。
【発明の詳細な説明】
【技術分野】
【０００１】
本発明は、例えば薬局や病院等において使用する薬袋及びその結束体に関するものである。
【背景技術】
【０００２】
一般の薬局や病院等で使用されている薬袋に、坪量６４ｇ／ｍ２程度の上質紙を用いて形成されたものが知られており（例えば特許文献１参照）、それを角底紙袋状となしたものが市販されている。
【発明の概要】
【発明が解決しようとする課題】
【０００３】
そのような薬袋では、底部分のみが分厚くなる。これを積み重ねると、薬袋の底部分が反り返る「薬袋反り」が発生することがある。この薬袋反りにより、薬袋発行機において、薬袋が機械へ引き込まれない、又は引き込みタイミングのずれにより、正常に印刷ができない。薬袋と印刷ヘッドとが擦れることで、インク汚れが付着するなどの不具合が発生する。また、薬袋がかさばることで、薬袋発行機に収納できる薬袋の枚数が限られること、薬袋を輸送するための箱サイズが大きくなることなども問題である。また、薬袋反りは、薬袋が複数枚ごとに結束されて構成される結束体ではより顕著なものとなる。
【０００４】
本発明は、このような事情に鑑みてなされたもので、底部を含む全体の分厚さが軽減される薬袋及びその結束体を提供することを目的とする。
【課題を解決するための手段】
【０００５】
本発明は、薬剤を内部に収容可能な薬袋であって、シート材を折り畳んで貼り合わせて構成され、前記シート材は、坪量４０〜６０ｇ/ｍ２の晒包装紙であることを特徴とするものである。
【０００６】
本発明によれば、シート材を折り畳んで貼り合わせて構成され、前記シート材は、坪量４０〜６０ｇ/ｍ２の晒包装紙であるので、従来の上質紙と同様の印刷のしやすさを確保した上で、薬袋が強度不足とならない範囲で、紙厚みを従来の上質紙（坪量６４ｇ/ｍ２）よりも薄くすることができる。
【０００７】
また、薬袋が強度不足とならない範囲であれば、紙厚みを薄くするほど、薬袋底部を含む全体の分厚さが軽減される。また、折り角部分の折れがより鋭角になり、より薬袋が平坦になることで、薬袋反りの発生が抑制される。薬袋反りの発生が抑制されると、薬袋発行機における引き込みトラブルや印刷不良の解決が見込まれる。
【０００８】
さらに、薬袋反りの他にも、薬袋発行機への薬袋収納枚数増加により、薬袋補充頻度が下がることで、ユーザー負担を軽減でき、輸送時の箱サイズ縮小、及び軽量化に伴う取り扱いの容易化も見込まれる。
【０００９】
請求項２記載の発明のように、角底部と、この角底部に連なる角筒胴部とを有することが好ましい。
【００１０】
請求項２記載の発明によれば、角底部と、この角底部に連なる角筒胴部とを有するので、薬剤を内部により多く収容できて便利である。このような角底部を有する薬袋では、薬袋反りが大きくなる傾向がある。本発明は、そのような場合に特に有効であり、前述のようにシート材として坪量４０〜６０ｇ/ｍ２の晒包装紙を用いることで、薬袋反りを効果的に抑制することができる。
【００１１】
請求項３記載の発明のように、内部に収容される薬剤に関する処方箋情報が印刷されることが好ましい。
【００１２】
請求項３記載の発明によれば、内部に収容される薬剤に関する処方箋情報が印刷されるので、薬剤に関する処方箋情報を知ることができて便利である。前述のようにシート材として坪量４０〜６０ｇ/ｍ２の晒包装紙を用いることで、薬袋反りを抑制しているので、薬袋には、処方箋情報を確実に印刷することができる。
【００１３】
請求項４記載の発明のように、前記シート材は、坪量４５〜５５ｇ/ｍ２であることがより好ましい。
【００１４】
請求項５記載の発明のように、前記シート材は、坪量５０ｇ/ｍ２であることがさらに好ましい。
【００１５】
ところで、一般的に上質紙の多くは広葉樹パルプを主原料とするが、晒クラフト紙は針葉樹パルプを主原料としている。針葉樹は広葉樹に比べて繊維が長く、より強度のある紙となるから、晒クラフト紙は上質紙よりも強度が優れているといえる。そこで、請求項６記載の発明のように、前記シート材は、晒クラフト紙であることが好ましい。
【００１６】
請求項６記載の発明によれば、前記シート材は、晒クラフト紙であるので、紙厚みを薄くした場合の、薬袋の強度不足を補うことができる。
【００１７】
請求項７記載の発明のように、請求項１〜６のいずれか１項に記載の薬袋が複数枚ごとに結束されて構成されることが好ましい。
【００１８】
請求項７記載の発明によれば、請求項１〜６のいずれか１項に記載の薬袋が複数枚ごとに結束されて構成されるので、かかる形態での流通ができる。このような薬袋の結束体では、個々の薬袋の薬袋反りが累積され、薬袋反りが大きくなる傾向がある。本発明は、そのような場合に特に有効であり、前述のようにシート材として坪量４０〜６０ｇ/ｍ２の晒包装紙を用いることで、薬袋反りを効果的に抑制することができる。
【００１９】
とはいっても、薬袋の結束体が流通される間に薬袋反りが徐々に進行し、やがて薬袋反りが最大となって安定した状態となる。したがって、この流通後に、請求項８記載の発明のように、前記複数枚ごとに結束された薬袋が１枚ずつに分離された状態で、それぞれの内部に収容される薬剤に関する処方箋情報が各薬袋に印刷されることが好ましい。
【００２０】
請求項８記載の発明によれば、前記複数枚ごとに結束された薬袋が１枚ずつに分離された状態で、それぞれの内部に収容される薬剤に関する処方箋情報が各薬袋に印刷されるので、各薬袋への印刷が容易となる。前述のようにシート材として坪量４０〜６０ｇ/ｍ２の晒包装紙を用いることで、薬袋反りを抑制しているので、薬袋には、処方箋情報を確実に印刷することができる。
【発明の効果】
【００２１】
本発明によれば、シート材を折り畳んで貼り合わせて構成され、前記シート材は、坪量４０〜６０ｇ/ｍ２の晒包装紙であるので、従来の上質紙と同様の印刷のしやすさを確保した上で、薬袋が強度不足とならない範囲で、紙厚みを従来の上質紙（坪量６４ｇ/ｍ２）よりも薄くすることができる。
【００２２】
また、薬袋が強度不足とならない範囲であれば、紙厚みを薄くするほど、薬袋底部を含む全体の分厚さが軽減される。また、折り角部分の折れがより鋭角になり、より薬袋が平坦になることで、薬袋反りの発生が抑制される。薬袋反りの発生が抑制されると、薬袋発行機における引き込みトラブルや印刷不良の解決が見込まれる。
【００２３】
さらに、薬袋反りの他にも、薬袋発行機への薬袋収納枚数増加により、薬袋補充頻度が下がることで、ユーザー負担を軽減でき、輸送時の箱サイズ縮小、及び軽量化に伴う取り扱いの容易化も見込まれる。
【図面の簡単な説明】
【００２４】
【図１】本発明の一実施形態に係る薬袋を開いた状態を示す斜視図である。
【図２】本薬袋を閉じた状態を示す背面図である。
【図３】折り角部分の様子を示す説明図である。
【図４】薬袋反りの様子を示す説明図である。
【図５】本薬袋の使用手順を示す工程図である。
【発明を実施するための形態】
【００２５】
図１は本発明の一実施形態に係る薬袋１を開いた状態を示す斜視図、図２は本薬袋１を閉じた状態を示す背面図である。
【００２６】
図１，図２に示すように、本発明の一実施形態に係る薬袋（以下、本薬袋という。）１は、薬剤を内部に収容可能である。本薬袋１は、シート材２である晒包装紙を折り畳んで貼り合わせて構成される角底紙袋である。具体的には、シート材２として、坪量４０〜６０ｇ／ｍ２の晒クラフト紙を用いる。本薬袋１は、このシート材２からなる表面２１と、裏面２２と、左右両側面２３，２４と、底面２５とを有している。図２中のＡ部分は、裏面２２の左側面２３と接する側でシート材２を若干重ねて貼着する部分であり、Ｂ部分は底面２５を矩形状に形成貼着する部分であって、薬袋１を閉じたときに、ともに分厚くなるが、特にＢ部分は、Ａ部分を含み、最も分厚くなっている。
【００２７】
本薬袋１の底面２５は角底部を構成し、表面２１と、裏面２２と、左右両側面２３，２４とで、この角底部に連なる角筒胴部を構成しており、これらの構成により、薬剤を内部により多く収容できるようになっている。
【００２８】
この薬袋１を閉じ、複数枚ずつ、例えば表面２１を上向きにし、かつ、角底の折り返し部を同じ向きになるように揃えた状態で結束されることにより結束体１０が構成され（後述する図４（ｂ）参照）、かかる形態での流通ができるようになっている。そして、この流通された結束体１０を構成する複数枚の薬袋１が１枚ずつに分離された状態で、それぞれの内部に収容される薬剤に関する処方箋情報が図示しない薬袋発行機で各薬袋１の表面２１に印刷されるようになっている。これにより、薬袋１を逐一開くことなく、その内部に収容された薬剤に関する処方箋情報を知ることができて便利である。
【００２９】
ところで、一般的に上質紙の多くは広葉樹パルプを主原料とするが、晒クラフト紙は針葉樹パルプを主原料としている。針葉樹は広葉樹に比べて繊維が長く、より強度のある紙となるから、晒クラフト紙は上質紙よりも強度が優れていると評価される。また、通常のクラフト紙では、茶色っぽいので、印刷が不鮮明となるおそれがある。そこで、本薬袋１のシート材２として、漂白した晒クラフト紙を用いた。これにより、印刷が鮮明になるとともに、従来よりも紙厚みを薄くした場合の、薬袋の強度不足を補うことができる。
【００３０】
図３は折り角部分の様子を示す説明図、図４は薬袋反りの様子を示す説明図であって、それぞれ（ａ）は従来例、（ｂ）は本発明の実施例を示している。なお、図４中の符号３は結束体１０，１０ａを置いた基準面、符号４，４ａは結束体１０，１０ａの各最大高さを示している。
【００３１】
図３（ａ）に示すように、従来の上質紙（坪量６４ｇ/ｍ２）２ａでは、紙が厚く、同図中のＣ方向での折れが不十分である。これに対して、図３（ｂ）に示すように、本発明の晒クラフト紙（坪量４０〜６０ｇ/ｍ２）２では、紙が薄く、同図中のＤ方向で、より鋭角に折れることがわかる。
【００３２】
また、図４（ａ）に示すように、従来の上質紙（坪量６４ｇ/ｍ２）を用いた角底薬袋では、薬袋１ａが分厚く、同図中のＥ方向への薬袋反りが大きい。そして、この薬袋１ａを複数枚ずつ結束した結束体１０ａでは、薬袋反りが累積されて、より顕著なものとなっていることがわかる。これに対して、図４（ｂ）に示すように、本発明の晒クラフト紙（坪量４０〜６０ｇ/ｍ２）では、薬袋１が薄く、同図中のＦ方向への薬袋反りが小さい。そして、この薬袋１を複数枚ずつ結束した結束体１０では、前記結束体１０ａに比べて、全体の薬袋反りが差Ｇだけ小さくなっていることがわかる。
【００３３】
ここで、本薬袋１で坪量４０〜６０ｇ／ｍ２の晒クラフト紙を用いた理由は以下のとおりである。表１は、本発明者による自社製薬袋発行機を用いた場合の本薬袋１の性能予測を行ったものである。薬袋１の強度は、前述した上質紙と晒クラフト紙とについての強度評価に基づく予測値であって、表１中の右欄に示す棒グラフ（ハッチング入り）の、左側から右側に向けて伸びる量が大きいほど、薬袋の強度が大きくなるものとしている。
【表１】
2016140516.tif 000003
【００３４】
表１における上から一段目は、従来の上質紙を用いた角底薬袋の場合であり、薬袋発行機への収納枚数は３６枚で、坪量６４ｇ／ｍ２の上質紙を用いた角底薬袋の強度は予測値である。そして、この従来の上質紙を用いた角底薬袋の強度を、他の種類の紙に対する評価基準とするために、その右端を通る上下方向の二点鎖線を入れている。
【００３５】
上から二段目は、従来よりも薄い上質紙を用いた角底薬袋の場合であり、薬袋発行機への収納枚数は６１枚と従来よりも増加しているが、坪量５２．３ｇ／ｍ２の上質紙を用いた角底薬袋の強度は上記二点鎖線の左側にとどっており、従来よりも低い値となることが予想される。
【００３６】
上から三段目（最下段）は、本発明の晒クラフト紙を用いた角底薬袋の場合であり、薬袋発行機への収納枚数は５８枚であり、上から二段目の角底薬袋の場合と同じく従来よりも増加しているにもかかわらず、坪量５０ｇ／ｍ２の晒クラフト紙を用いた角底薬袋の強度は上記二点鎖線と一致するか、それを越えて右側にさらに伸びる可能性を（二点鎖線で囲むハッチングなしの部分で）示しており、従来よりも高い値となることが予想される。
【００３７】
ただし、紙は環境湿度に応じて含有する水分量が変化するので、坪量の測定は標準温度・湿度で十分調湿して測定されるのであるが、実際の薬袋１での評価は、かかる環境湿度などの変化により変動することが予想される。そこで、表１の上から三段目の坪量５０ｇ／ｍ２の晒クラフト紙を用いた角底薬袋が最も好ましいものとするとともに、坪量での変動を±５ｇ／ｍ２として、坪量４５〜５５ｇ／ｍ２をより好ましいものとし、坪量での変動を±１０ｇ／ｍ２として、坪量４０〜６０ｇ／ｍ２を好ましいものとした。
【００３８】
図５は本薬袋１の使用手順を示す工程図である。以下、図５を参照して説明する。
【００３９】
図５に示すように、シート材２として、坪量４０〜６０ｇ／ｍ２の晒クラフト紙を用いて角底薬袋１を製袋する（ステップＳ１）。ここでは、裏面２２の左側面２３と接する側でシート材２を図２中のＡ部分で若干重ねて貼着した上で、左右両側面２３，２４をガゼット折りし、最後に底面２５を矩形状に形成貼着する。そして、表面２１に裏面２２が当接するように、左右両側面２３，２４を畳み込み、かつ、底面２５を裏面２２側に折り返して、薬袋１が完全に閉じた状態とする。このときには、図２中のＢ部分が最も分厚くなっている。
【００４０】
次いで、この薬袋１が複数枚ごとに、例えば表面２１を上向きにし、かつ、角底の折り返し部が下向きになるように揃えた状態で重ねられ、図示しない紐やバンド等で結束されることにより、結束体１０が構成される（ステップＳ２）。この結束体１０は、さらに段ボール箱に適宜詰め込まれて、市場において流通される（ステップＳ３）。そして、結束体１０が流通される間に薬袋反りが徐々に進行し、やがて薬袋反りが最大となって安定した状態となる。
【００４１】
この流通されて、薬袋反りが安定した状態となった結束体１０は、結束が解除され、その後、結束体１０を構成していた複数枚の薬袋１が図示しない薬袋発行機に装填される。薬袋発行機において、複数枚の薬袋１が１枚ずつに分離され（ステップＳ４）、各薬袋１の内部に収容される薬剤に関する処方箋情報がその表面２１に印刷される（ステップＳ５）。
【００４２】
以上説明したように、本薬袋１によれば、シート材２を折り畳んで貼り合わせて構成され、このシート材２は、坪量４０〜６０ｇ/ｍ２の晒クラフト紙であるので、従来の上質紙と同様の印刷のしやすさを確保した上で、薬袋が強度不足とならない範囲で、紙厚みを従来の上質紙（坪量６４ｇ/ｍ２）よりも薄くすることができる。
【００４３】
また、薬袋１が強度不足とならない範囲であれば、紙厚みを薄くするほど、薬袋底部を含む全体の分厚さが軽減される。また、折り角部分の折れがより鋭角になり、より薬袋が平坦になることで、薬袋反りの発生が抑制される。薬袋反りの発生が抑制されると、薬袋発行機における引き込みトラブルや印刷不良の解決が見込まれる。
【００４４】
さらに、薬袋反りの他にも、薬袋発行機への薬袋収納枚数増加により、薬袋補充頻度が下がることで、ユーザー負担を軽減でき、輸送時の箱サイズ縮小、及び軽量化に伴う取り扱いの容易化も見込まれる。
【００４５】
なお、上記実施形態では、角底部のある薬袋１について説明したが、角底部のないものであっても、少なくとも折り角部分を有する限り、同様の傾向にあることが明らかである。
【００４６】
また、上記実施形態では、結束体１０を段ボールに入れて流通させているが、そのまま流通させることもできる。
【００４７】
また、上記実施形態では、印刷工程で個々の薬袋１に収容される薬剤に関する処方箋情報を、その表面２１に印刷しているが、プリンタの送り方向や印刷の向きなどによっては、裏面２２に印刷することとしてもよい。さらに、印刷の代わりに、薬剤師が手書きする場合は、印刷工程そのものを省略できる。
【符号の説明】
【００４８】
１０  結束体
１  薬袋
２  シート材
２１  表面
２２  裏面
２３  左側面
２４  右側面
２５  底面
【先行技術文献】
【特許文献】
【００４９】
【特許文献１】実用新案登録第３０６２３３３号の登録公報
【図１】
2016140516.tif 000004
【図２】
2016140516.tif 000005
【図３】
2016140516.tif 000006
【図４】
2016140516.tif 000007
【図５】
2016140516.tif 000008